(57)【要約】      （修正有）【課題】屋内に安全に設置することが可能な酸素シェルターを提供する。【解決手段】酸素シェルター１は、金属製の収容部と、収容部に形成された開口部３と、開口部を開閉可能な扉部４と、収容部の内部に酸素を供給する酸素供給部と、を備え、金属製の収容部の外側に、衝撃を吸収する緩衝部１０が取り付けられている。これにより、酸素シェルターを屋内に設置した場合において、子供が屋内で遊ぶ場合に、酸素シェルターに衝突して怪我をしてしまうことを防止できる。【選択図】図４
0003219377.tif 000002
【実用新案登録請求の範囲】
【請求項１】
利用者を内部に収容可能な金属製の収容部と、
前記収容部に形成された開口部と、
前記開口部を開放及び閉塞可能な扉部と、
前記収容部の内部に酸素を供給する酸素供給部と、
前記収容部の外側に取り付けられ、衝撃を吸収する緩衝部と、
を備えたことを特徴とする酸素シェルター。
【請求項２】
前記緩衝部は、
衝撃を吸収する素材からなる衝撃吸収部と、
前記収容部の外側に取り付けるための取付部と、
を備え、
前記取付部は、
前記収容部に対して着脱自在に設けられていることを特徴とする請求項１に記載の酸素シェルター。
【考案の詳細な説明】
【技術分野】
【０００１】
本考案は、酸素シェルターに関するものである。
【背景技術】
【０００２】
従来では、利用者を収容する収容部の内部の気圧を標準気圧以上に加圧する酸素ルームにシェルター機能を備えた酸素シェルターが知られている（例えば、特許文献１）。このような酸素シェルターは、収容部が金属製となっているので、例えば、地震等の有事の際に、収容部の内部にいる利用者の身を守ることができる。
【０００３】
一方で、有事の際以外には、内部の気圧を標準気圧以上に加圧する酸素ルームとして利用することができるので、酸素シェルターを屋内に設置したとしても、屋内のスペースを無駄にしてしまうという事態を防止することができる。
【先行技術文献】
【特許文献】
【０００４】
【特許文献１】実用新案登録３２１４０３６号
【考案の概要】
【考案が解決しようとする課題】
【０００５】
しかしながら、このような酸素シェルターは、収容部が金属製であることから、屋内に設置した場合には、衝突して怪我をしてしまう虞がある。例えば、子供が屋内で遊ぶ場合には、酸素シェルターに衝突し、怪我をしてしまう虞がある。このため、酸素シェルターを屋内に安全に設置することができないという問題点があった。
【０００６】
本考案は、このような問題点に鑑み、屋内に安全に設置することが可能な酸素シェルターを提供することを目的とする。
【課題を解決するための手段】
【０００７】
このような課題を解決するために、本考案に係る酸素シェルターは、利用者を内部に収容可能な金属製の収容部と、前記収容部に形成された開口部と、前記開口部を開放及び閉塞可能な扉部と、前記収容部の内部に酸素を供給する酸素供給部と、前記収容部の外側に取り付けられ、衝撃を吸収する緩衝部と、を備えたことを特徴とする。
【０００８】
また、本考案に係る酸素シェルターにおいて、前記緩衝部は、衝撃を吸収する素材からなる衝撃吸収部と、前記収容部の外側に取り付けるための取付部と、を備え、前記取付部は、前記収容部に対して着脱自在に設けられていることを特徴とする。
【考案の効果】
【０００９】
本考案によれば、屋内に安全に設置することが可能な酸素シェルターを提供することができる。
【図面の簡単な説明】
【００１０】
【図１】酸素シェルターの外観図の一例を示す図である。
【図２】緩衝部の分解斜視図の一例を示す図である。
【図３】緩衝部の正面図及び背面図の一例を示す図である。
【図４】緩衝部を取り付けた酸素シェルターの一例を示す図である。
【図５】第２実施形態における緩衝部を取り付けた酸素シェルターの一例を示す図である。
【図６】第３実施形態における緩衝部を取り付けた酸素シェルターの一例を示す図である。
【考案を実施するための形態】
【００１１】
以下、本考案の実施形態について図面を参照しながら具体的に説明する。
【００１２】
（第１実施形態）
図１〜図４を用いて、本考案における第１実施形態について説明を行う。
【００１３】
（酸素シェルター１の外観図）
まず、図１を用いて、本考案における酸素シェルター１の構成について具体的に説明を行う。なお、図１は、開口部３が開放された状態の酸素シェルター１の外観を示す図である。
【００１４】
（酸素シェルター１）
本考案における酸素シェルター１は、収容部２と、気圧制御ユニット６と、濃縮酸素装置７により構成される。
【００１５】
（収容部２）
収容部２は、収容部２の底面に設けられている板状の底面板と、収容部２の左側面に設けられている板状の左側面板と、収容部２の右側面に設けられている板状の右側面板と、収容部２の正面側に設けられている板状の正面板と、収容部２の背面側に設けられている板状の背面板と、収容部２の天井側に設けられている板状の天井板とにより構成されており、溶接、ビス止め等により結合されることで箱形状に形成されている。また、収容部２は、酸素シェルター１を利用する利用者を収容可能な空間を内部に有している。
【００１６】
また、収容部２の材質は、強度に優れた金属製（例えば、鋼、鉄）となっている。これにより、収容部２の耐重圧性、耐衝撃性が向上するので、収容部２の内部にいる利用者の安全性が向上する。なお、収容部２の材質は、強度に優れた材質であればどのような材質であってもよい。
【００１７】
ここで、本実施形態において、天井板には、天井板を補強するための金属製の天井板補強柱が格子状に設けられている。これにより、例えば、地震等で鉄筋や鉄骨構造物が上方から衝突した際であっても、鉄筋や鉄骨構造物が天井板に衝突する前に、天井板補強柱に衝突することとなるので、酸素シェルター１の安全性が向上する。なお、天井板補強柱は、溶接、ビス止め等により天井板と結合される。
【００１８】
同様に、正面板には、正面板を補強するための金属製の正面板補強柱が格子状に設けられており、底面板には、底面板を補強するための金属製の底面板補強柱が格子状に設けられている。
【００１９】
また、本実施形態において、右側面板には、右側面板を補強するための金属製の右側面板補強柱が設けられている。これにより、例えば、地震等で鉄筋や鉄骨構造物が上方から衝突した際であっても、鉄筋や鉄骨構造物が右側面板に衝突する前に、右側面板補強柱に衝突することとなるので、酸素シェルター１の安全性が向上する。なお、右側面板補強柱は、溶接、ビス止め等により右側面板と結合される。
【００２０】
同様に、左側面板には、左側面板を補強するための金属製の左側面板補強柱が設けられており、背面板には、背面板を補強するための金属製の背面板補強柱が設けられている。
【００２１】
ここで、本実施形態において、収容部２は、奥行き（Ｄ）が１２０ｃｍ、幅（Ｗ）が２６０ｃｍ、高さ（Ｈ）が１５０ｃｍ程度の大きさとなっており、酸素シェルター１の利用者を複数人収容可能となっているが、収容部２の大きさは、少なくとも１人の利用者を収容可能な大きさであればどのような大きさであってもよい。なお、収容部２の内部には、気圧制御ユニット６に設けられている後述の受話器６ｂと通話可能な受話器（図示せず）が設けられている。
【００２２】
（開口部３）
開口部３は、収容部２の正面板に設けられており、酸素シェルター１の利用者が収容部２の内部に出入り可能な大きさにより形成されている。ここで、開口部３の大きさは、利用者が出入り可能な大きさであれば、どのような大きさであってもよい。また、開口部３が設けられる位置は、正面板ではなく、他の位置に設けられていてもよい。例えば、開口部が左側面板や、右側面板、背面板、天井板に設けられていてもよい。
【００２３】
（扉部４）
扉部４は、収容部２の正面板に設けられており、開口部３を開放、及び閉塞可能に設けられている。ここで、扉部４の大きさは、開口部３を閉塞可能な大きさであれば、どのような大きさであってもよい。また、扉部４が設けられる位置は、開口部３が設けられている位置に合わせて、別の位置に設けられていてもよい。なお、本実施形態において、扉部４は、開き戸となっているが、これに限定されることはなく、例えば、引き戸や、折れ戸であってもよい。
【００２４】
（窓部５）
窓部５は、収容部２の正面板に設けられており、収容部２の外部から収容部２の内部を視認可能とするために設けられている。また、窓部５を設けることにより、収容部２の内部にいる利用者の閉塞感を軽減することができる。ここで、窓部５は、正面板以外の位置（例えば、左側面板、右側面板、背面板）に設けられていてもよく、複数設けられていてもよい。なお、窓部５の大きさは、どのような大きさであってもよい。
【００２５】
（気圧制御ユニット６）
気圧制御ユニット６は、収容部２や、濃縮酸素装置７と接続されており、収容部２の内部の気圧を制御するために設けられている。また、気圧制御ユニット６は、気圧制御ユニット６に電力を供給するための気圧制御ユニット用電源ボタン６ａと、収容部２の内部にいる利用者と通話可能な受話器６ｂと、収容部２の内部の気圧を制御するための操作を検出する制御パネル６ｃを有している。
【００２６】
（濃縮酸素装置７）
濃縮酸素装置７は、気圧制御ユニット６と接続されており、濃縮酸素装置７に電力を供給するための濃縮酸素装置用電源ボタン７ａと、濃縮酸素装置７の内部に設けられており、空気中の窒素、及び二酸化炭素を取り除くためのゼオライト（図示せず）を有している。
【００２７】
（酸素シェルター１の利用方法）
ここで、酸素シェルター１の利用方法について説明を行う。まず、気圧制御ユニット用電源ボタン６ａと、濃縮酸素装置用電源ボタン７ａを操作することにより、気圧制御ユニット６と、濃縮酸素装置７の電源をＯＮにする。次に、制御パネル６ｃを操作することにより、気圧制御ユニット６から濃縮酸素装置７に対して収容部２の内部の気圧を制御する制御信号が送信されることとなる。また、濃縮酸素装置７は、外気を取り込み、この取り込んだ外気から、ゼオライトにより窒素、及び二酸化炭素を取り除くことにより、濃度の濃い酸素を精製し、濃度の濃い酸素を気圧制御ユニット６に供給する。そして、気圧制御ユニット６は、濃縮酸素装置７から供給された濃度の濃い酸素を、収容部２の内部に供給する処理を行う。これらにより、収容部２の内部の気圧が制御されることとなる。なお、この後、利用者は、扉部４を開いて収容部２の内部に入り、扉部４を閉めることで酸素シェルター１を利用することとなる。
【００２８】
（外側酸素排出弁８）
外側酸素排出弁８は、正面板に設けられており、収容部２の内部の酸素を排出するために設けられている。ここで、収容部２の外側から外側酸素排出弁８を操作することにより、収容部２の内部の酸素を排出することができる。
【００２９】
（内側酸素排出弁９）
内側酸素排出弁９は、正面板に設けられており、外側酸素排出弁８と同様に、収容部２の内部の酸素を排出するために設けられている。ここで、利用者は、収容部２の内部から内側酸素排出弁９を操作することにより、収容部２の内部の酸素を排出することができる。
【００３０】
（緩衝部１０の分解斜視図）
次に図２を用いて、本考案における緩衝部１０の分解斜視図について説明を行う。
【００３１】
（緩衝部１０）
緩衝部１０は、収容部２に衝突して怪我をしてしまうことを防止するために設けられている。ここで、緩衝部１０は、ベース部１１と、衝撃吸収部１２と、シート部１３と、図３を用いて後述する取付部１４とにより構成されている。また、緩衝部１０は、ベース部１１に対して衝撃吸収部１２を載置し、その上からシート部１３を被覆し、シート部１３の隅をベース部１１に対して鋲打機（図示せず）等により止めることにより構成される。
【００３２】
なお、具体的には図４を用いて後述するが、緩衝部１０は、酸素シェルター１の取り付けられる位置に応じて形状が異なる。
【００３３】
（ベース部１１）
ベース部１１は、緩衝部１０の背面側に設けられており、衝撃吸収部１２や、シート部１３、図３を用いて後述する取付部１４を取り付けるために設けられている。また、ベース部１１は、コンパネ、ベニヤ板、合板等からなる。
【００３４】
（衝撃吸収部１２）
衝撃吸収部１２は、ベース部１１と、シート部１３の間に設けられており、衝撃を吸収するために設けられている。また、衝撃吸収部１２の素材は、衝撃を吸収することができる素材であればよく、例えば、アクリル、ウレタン等の合成樹脂を適用することもできるし、ゴム等のその他の素材を適用することもできる。
【００３５】
（シート部１３）
シート部１３は、衝撃吸収部１２を被覆するために設けられている。また、シート部１３のサイズは、ベース部１１や、衝撃吸収部１２よりも大きくなっている。ここで、シート部１３の素材は、どのような素材を用いてもよく、例えば、綿や絹等の天然繊維を用いることとしてもよいし、ポリエステルや、ナイロン等の化学繊維を用いることとしてもよい。また、本皮や、合成皮革等を用いることとしてもよい。
【００３６】
（緩衝部１０の正面図及び背面図）
次に図３を用いて、本考案における緩衝部１０の正面図及び背面図について説明を行う。なお、図３（Ａ）は、緩衝部１０の正面図であり、図３（Ｂ）は、緩衝部１０の背面図である。
【００３７】
（取付部１４）
取付部１４は、緩衝部１０の背面側、より具体的にはベース部１１の背面側に設けられており、酸素シェルター１の収容部２に緩衝部１０を取り付けるために設けられている。また、取付部１４は、第１取付部１４ａと、第２取付部１４ｂと、第３取付部１４ｃと、第４取付部１４ｄとにより構成されており、磁石等からなる。なお、取付部１４の数は、単数であってもよいし、「４」個以外の複数であってもよい。また、取付部１４が設けられる位置は、酸素シェルター１の収容部２に緩衝部１０を取り付け可能な位置であればどこに設けられていてもよい。さらに、取付部１４の大きさは、酸素シェルター１の収容部２に緩衝部１０を取り付け可能な大きさであれば、どのような大きさであってもよい。
【００３８】
（緩衝部１０が取り付けられた酸素シェルター１）
次に図４を用いて、緩衝部１０が取り付けられた酸素シェルター１について説明を行う。なお、図４では、気圧制御ユニット６と、濃縮酸素装置７の図示を省略している。
【００３９】
図３を用いて説明した通り、本実施形態において、ベース部１１の背面には、取付部１４が設けられており、この取付部１４は磁石からなる。また、収容部２の材質は、強度に優れた金属製となっている。このため、取付部１４を収容部２に貼り付けることにより、緩衝部１０を収容部２に取り付け可能となっている。
【００４０】
ここで、本実施形態において、酸素シェルター１の収容部２を設置する位置に応じて、緩衝部１０を取り付ける位置が設定可能となる。例えば、図４に示す通り、酸素シェルター１を屋内の隅に設置する場合には、収容部２の背面板と、右側面板が屋内の壁１５と面することとなる。このため、屋内の壁１５と面していない収容部２の正面板と、左側面板に緩衝部１０を取り付けるだけで、衝突による怪我を防止することができる。
【００４１】
また、緩衝部１０は、取り付けられる位置に応じて形状が異なる。これにより、収容部２の正面板に対して緩衝部１０が取り付けられた場合であっても、図４に示す通り、扉部４は露出されることとなるので、収容部２に衝突して怪我をしてしまうことを防止しつつ、利用者が収容部２の内部に入るが可能となる。
【００４２】
同様に、収容部２の正面板に対して緩衝部１０が取り付けられた場合であっても、図４に示す通り、窓部５は露出されることとなるので、収容部２に衝突して怪我をしてしまうことを防止しつつ、収容部２の内部にいる利用者の閉塞感を軽減することができる。
【００４３】
また、収容部２の正面板に対して緩衝部１０が取り付けられた場合であっても、図４に示す通り、外側酸素排出弁８や、内側酸素排出弁９は露出されることとなる。これにより、収容部２に衝突して怪我をしてしまうことを防止しつつ、収容部２の内部の酸素を排出することができる。
【００４４】
なお、収容部２の正面板の右側に取り付けられた緩衝部１０には、収容部２と、気圧制御ユニット６とを接続するコネクタを通すことが可能な切欠部１８が設けられている。
【００４５】
なお、本実施形態においては、屋内の壁１５と面していない収容部２の正面板や、左側面板の全面に緩衝部１０を取り付けることとしているが、これに限定されることはない。例えば、正面板や、左側面板の下半分の面に緩衝部１０を取り付けることとしてもよい。これにより、緩衝部１０を全面に取り付ける場合と比較して、緩衝部１０を取り付ける面積が小さくなるので、コストダウンを図りつつ、衝突による怪我を防止することができる。
【００４６】
（第２実施形態における緩衝部１０を取り付けた酸素シェルター１）
次に図５を用いて、第２実施形態における緩衝部１０を取り付けた酸素シェルター１について説明を行う。
【００４７】
第２実施形態においては、酸素シェルター１の収容部２の周辺に木枠１６を組み立てて設置し、この木枠１６に対して、釘や螺子等により取付板１７を固定する。そして、この取付板１７に対して、緩衝部１０が取り付けられる。具体的には、第２実施形態において、取付部１４は、磁石ではなく板部材によりなり、この板部材に対して接着剤を塗布し、接着剤が塗布された板部材と、取付板１７とが接着されることにより、緩衝部１０が取付板に取り付けられる。
【００４８】
また、第２実施形態においても、緩衝部１０は、取り付けられる位置に応じて形状が異なる。これにより、取付板１７に対して緩衝部１０が取り付けられた場合であっても、図５に示す通り、扉部４は露出されることとなるので、収容部２に衝突して怪我をしてしまうことを防止しつつ、利用者が収容部２の内部に入るが可能となる。
【００４９】
同様に、取付板１７に対して緩衝部１０が取り付けられた場合であっても、図５に示す通り、窓部５は露出されることとなるので、収容部２に衝突して怪我をしてしまうことを防止しつつ、収容部２の内部にいる利用者の閉塞感を軽減することができる。
【００５０】
また、取付板１７に対して緩衝部１０が取り付けられた場合であっても、図５に示す通り、外側酸素排出弁８や、内側酸素排出弁９は露出されることとなる。これにより、収容部２に衝突して怪我をしてしまうことを防止しつつ、収容部２の内部の酸素を排出することができる。
【００５１】
（第３実施形態における緩衝部１０を取り付けた酸素シェルター１）
次に図６を用いて、第３実施形態における緩衝部１０を取り付けた酸素シェルター１について説明を行う。
【００５２】
第３実施形態においては、面ファスナ１９が緩衝部１０に取り付けられており、一の緩衝部１０に取り付けられた面ファスナ１９と、他の緩衝部１０に取り付けられた面ファスナ１９とが接着されることにより取り付けられる。これにより、緩衝部１０を簡易に取り付けることができる。
【００５３】
また、第３実施形態における緩衝部１０も、上記実施形態と同様に、屋内の壁１５と面していない収容部２の正面板と、左側面板に緩衝部１０を取り付けるだけで、衝突による怪我を防止することができる。
【００５４】
（その他の実施形態）
以下において、その他の実施形態について説明を行う。
【００５５】
第２実施形態において、緩衝部１０は、取付板１７に対して接着剤により接着することで取り付けられることとなるが、収容部２に対して緩衝部１０を接着剤により接着することで取り付けられることとしてもよい。
【００５６】
この場合において、正面板に緩衝部１０を取り付ける場合には、正面板補強柱に対して接着することで取り付けられる。同様に、右側面板に緩衝部１０を取りつける場合には、右側面板補強柱に対して接着することで取り付けられ、左側面板に緩衝部１０を取りつける場合には、左側面板補強柱に対して接着することで取り付けられる。
【００５７】
なお、背面板や、天井板、底面板に緩衝部１０を取り付ける場合について説明すると、背面板に緩衝部１０を取りつける場合には、背面板補強柱に対して接着することで取り付けられ、天井板に緩衝部１０を取りつける場合には、天井板補強柱に対して接着することで取り付けられ、底面板に緩衝部１０を取りつける場合には、底面板補強柱に対して接着することで取り付けられることとなる。
【００５８】
このように、本考案によれば、衝撃を吸収する緩衝部１０を酸素シェルター１の収容部２に取り付けることにより、衝突による怪我を防止することができるので、酸素シェルター１を屋内に安全に設置することができる。
【００５９】
また、本考案によれば、緩衝部１０は、衝撃吸収部１２と、磁石からなる取付部１４とを備えている。これにより、取付部１４は、収容部２に対して着脱自在となるので、緩衝部１０を交換する際に、緩衝部１０の交換が容易となる。
【００６０】
なお、本実施形態において、「収容部２」は、本考案の「収容部」を構成する。
【００６１】
また、本実施形態において、「開口部３」は、本考案の「開口部」を構成する。
【００６２】
また、本実施形態において、「扉部４」は、本考案の「扉部」を構成する。
【００６３】
また、本実施形態において、「気圧制御ユニット６」や、「濃縮酸素装置７」は、本考案の「酸素供給部」を構成する。
【００６４】
また、本実施形態において、「緩衝部１０」は、本考案の「緩衝部」を構成する。
【００６５】
また、本実施形態において、「衝撃吸収部１２」は、本考案の「衝撃吸収部」を構成する。
【００６６】
また、本実施形態において、「取付部１４」は、本考案の「取付部」を構成する。
【００６７】
なお、本考案の実施について図面を用いて説明したが、具体的な構成はこれらの実施形態に限られるものではなく、本考案の要旨を逸脱しない範囲の設計変更等があっても本考案に含まれる。また、各図面で示した実施形態は、その目的及び構成等に矛盾や問題がない限り、互いの記載内容を組み合わせることが可能である。また、各図面の記載内容はそれぞれ独立した実施形態になり得るものであり、本考案の実施形態は各図面を組み合わせた一つの実施形態に限定されるものではない。
【符号の説明】
【００６８】
１      酸素シェルター
２      収容部
３      開口部
４      扉部
５      窓部
６      気圧制御ユニット
６ａ    気圧制御ユニット用電源ボタン
６ｂ    受話器
６ｃ    制御パネル
７      濃縮酸素装置
７ａ    濃縮酸素装置用電源ボタン
８      外側酸素排出弁
９      内側酸素排出弁
１０    緩衝部
１１    ベース部
１２    衝撃吸収部
１３    シート部
１４    取付部
１４ａ  第１取付部
１４ｂ  第２取付部
１４ｃ  第３取付部
１４ｄ  第４取付部
１５    壁
１６    木枠
１７    取付板
１８    切欠部
【図１】
0003219377.tif 000003
【図２】
0003219377.tif 000004
【図３】
0003219377.tif 000005
【図４】
0003219377.tif 000006
【図５】
0003219377.tif 000007
【図６】
0003219377.tif 000008